(57)【要約】【課題】照明器具に締結部材を通すための挿入孔を形成することなく、該照明器具に取り付けることができる、機能部品及びその機能部品を備えた照明装置を提供する。【解決手段】機能部品は、内部に基板を収納したケース部材と、ケース部材に設けられ、支持機構にスライドさせて組み付けられる第一固定部材と、照明器具に取り付けられ、支持機構にスライドさせて組み付けられた第一固定部材と接合されて、第一固定部材のスライド方向の移動を規制する第二固定部材と、を備えている。【選択図】図３
2019061930.tif 000002
【特許請求の範囲】
【請求項１】
照明器具に設けた支持機構を介して前記照明器具に取り付けられる機能部品であって、
内部に基板を収納したケース部材と、
前記ケース部材に設けられ、前記支持機構にスライドさせて組み付けられる第一固定部材と、
前記照明器具に取り付けられ、前記支持機構にスライドさせて組み付けられた前記第一固定部材と接合されて、前記第一固定部材のスライド方向の移動を規制する第二固定部材と、を備えている、機能部品。
【請求項２】
前記第一固定部材は、前記ケース部材とは別部材で構成されており、前記ケース部材の外面に締結部材で締結されて設けられている、請求項１に記載の機能部品。
【請求項３】
前記第二固定部材は、前記第一固定部材をスライドさせた前記ケース部材の底面に当接して、前記ケース部材を目標の位置で保持する保持部を有する、請求項１又は２に記載の機能部品。
【請求項４】
前記基板には、センサ部材とコネクタとが、前記保持部で保持される前記ケース部材の底面と対向する位置に実装され、
前記センサ部材は、前記ケース部材の底面から一部が露出するように設けられており、
前記保持部は、露出した前記センサ部材を避けて、前記コネクタと対向するように設けられている、請求項３に記載の機能部品。
【請求項５】
請求項１〜請求項４のいずれか一項に記載の機能部品を照明器具に取り付けて成る、照明装置。
【請求項６】
第一固定部は、間隔をあけて配置された一対の係合部を有し、
前記照明器具は、外郭を形成する柱部材を有し、
前記支持機構は、前記柱部材の側縁に設けられた凹部及び凸部で構成されており、
前記第一固定部は、前記係合部を前記凹部から差し込まれ、前記凸部に向かってスライドさせることで、前記支持機構に組み付けられる構成である、請求項５に記載の照明装置。
【発明の詳細な説明】
【技術分野】
【０００１】
本発明は、照明器具に取り付けられる機能部品及びその機能部品を備えた照明装置に関するものである。
【背景技術】
【０００２】
従来、例えば特許文献１に開示されているような照明器具が知られている。この照明器具は、上開口部と下開口部を有する支柱枠組の内部に、光源ユニットを固定した構成である。支柱枠組は、上開口部から下開口部に渡って配置された主支柱部材と、主支柱部材を連結したガード部材と、を組み合わせて構成されている。
【先行技術文献】
【特許文献】
【０００３】
【特許文献１】特開２０１７−４１３２６号公報
【発明の概要】
【発明が解決しようとする課題】
【０００４】
特許文献１に開示されているような照明器具では、例えば人感センサ、照度センサ、非常灯ユニット又は無線ユニットのような機能部品を必要に応じて後から取り付ける場合がある。照明器具に機能部品を取り付ける手段として、例えば照明器具と、機能部品とを、ねじ等の締結部材で接合することが考えられる。しかし、照明器具の支柱枠組などに締結部材を通すための挿入孔を形成すると、支柱枠組の強度が低下してしまう虞がある。また、照明器具の支柱枠組に挿入孔を形成するための孔加工を行う手間も要するため、作業者にとって負担が大きいものとなる。
【０００５】
本発明は、上記のような課題を解決するためになされたもので、照明器具に締結部材を通すための挿入孔を形成することなく、該照明器具に取り付けることができる、機能部品及びその機能部品を備えた照明装置を提供することを目的とする。
【課題を解決するための手段】
【０００６】
本発明に係る機能部品は、照明器具に設けた支持機構を介して前記照明器具に取り付けられる機能部品であって、内部に基板を収納したケース部材と、前記ケース部材に設けられ、前記支持機構にスライドさせて組み付けられる第一固定部材と、前記照明器具に取り付けられ、前記支持機構にスライドさせて組み付けられた前記第一固定部材と接合されて、前記第一固定部材のスライド方向の移動を規制する第二固定部材と、を備えているものである。
【発明の効果】
【０００７】
本発明によれば、照明器具に設けられた支持機構に第一固定部材をスライドさせて組み付け、照明器具に取り付けられた第二固定部材に第一固定部材を接合する構成なので、照明器具に締結部材を通すための挿入孔を形成することなく、機能部品を照明器具に取り付けることができる。
【図面の簡単な説明】
【０００８】
【図１】本発明の実施の形態１に係る機能部品を備えた照明装置を示した斜視図である。
【図２】本発明の実施の形態１に係る機能部品を備えた照明装置を示した正面図である。
【図３】本発明の実施の形態１に係る機能部品を備えた照明装置であって、照明器具から機能部品を取り外した状態を拡大して示した斜視図である。
【図４】本発明の実施の形態１に係る機能部品を取り付ける照明器具の分解斜視図である。
【図５】本発明の実施の形態１に係る機能部品の分解斜視図である。
【図６】本発明の実施の形態１に係る機能部品であって、照明器具に取り付けた状態の縦断面図である。
【図７】本発明の実施の形態１に係る機能部品の第二固定部材を示した斜視図である。
【図８】本発明の実施の形態１に係る機能部品を照明器具に取り付ける要領を示した説明図である。
【図９】本発明の実施の形態１に係る機能部品を照明器具に取り付ける要領を示した説明図である。
【図１０】本発明の実施の形態１に係る機能部品を照明器具に取り付ける要領を示した説明図である。
【図１１】本発明の実施の形態１に係る機能部品を照明器具に取り付けた状態を示した斜視図である。
【図１２】本発明の実施の形態２に係る機能部品の分解斜視図である。
【発明を実施するための形態】
【０００９】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１０】
実施の形態１．
実施の形態１に係る機能部品２は、照明器具１に設けた支持機構１４を介して該照明器具１に取り付けられて照明装置１００を構成するものである。先ずは、照明器具１の構成を、図１〜図４に基づいて説明する。図１は、本発明の実施の形態１に係る機能部品を備えた照明装置を示した斜視図である。図２は、本発明の実施の形態１に係る機能部品を備えた照明装置を示した正面図である。図３は、本発明の実施の形態１に係る機能部品を備えた照明装置であって、照明器具から機能部品を取り外した状態を拡大して示した外観斜視図である。図４は、本発明の実施の形態１に係る機能部品を取り付ける照明器具の分解斜視図である。照明器具１は、図１〜図４に示すように、アーム１０と、電源ユニット１１と、天板１２と、支柱枠組１３と、光源ユニット１５と、カバー部材１８と、を有している。
【００１１】
アーム１０は、照明器具１を天井又は梁に取り付けるものである。アーム１０は、略Ｕ字形状であり、両端部が支柱枠組１３の両側面の中央に回動自在に取り付けられている。
【００１２】
電源ユニット１１は、六面体の箱状の金属製筐体の内部に、光源ユニット１５へ電力を供給するための電源回路を有した構成である。
【００１３】
天板１２は、上面中央に電源ユニット１１を載せて電源ユニット１１を固定するものである。天板１２は、支柱枠組１３の上面に固定されており、光源ユニット１５の上面を覆っている。天板１２は、金属板で構成されている。
【００１４】
支柱枠組１３は、光源ユニット１５を収納するものである。支柱枠組１３は、主支柱部材１３ａと、中間支柱部材１３ｂと、ガード部材１３ｃと、を略直方体形状となるように組み合わせて柵状の外側面を形成した構成である。支柱枠組１３は、上開口部が天板１２で覆われ、下開口部がカバー部材１８によって覆われている。主支柱部材１３ａ、中間支柱部材１３ｂ及びガード部材１３ｃは、それぞれ金属板で構成されている。
【００１５】
主支柱部材１３ａは、金属板を略直角に折り曲げてＬ字状に形成された構成であり、支柱枠組１３の四隅に配置されている。
【００１６】
中間支柱部材１３ｂは、支柱枠組１３の長辺部分にて隣接する主支柱部材１３ａの間において、主支柱部材１３ａと平行させて設けられている。中間支柱部材１３ｂには、機能部品２を取り付けるための支持機構１４が設けられている。この支持機構１４は、中間支柱部材１３ｂの左右側縁から主支柱部材１３ａ側に向かって突き出す一対の凸部１４ａと、該凸部１４ａの上方に設けられ、第一固定部材４を差し込むための凹部１４ｂとで構成されている。
【００１７】
ガード部材１３ｃは、隣接する主支柱部材１３ａを連結するものである。ガード部材１３ｃは、主支柱部材１３ａ及び中間支柱部材１３ｂとネジ接合されている。なお、図１に示すように、支柱枠組１３の長辺部分におけるガード部材１３ｃは、機能部品２を取り付ける際に取り外される場合がある。
【００１８】
光源ユニット１５は、支柱枠組１３の内部に配置されて固定され、電源ユニット１１から電力の供給を受けて光源を発光させるものである。光源ユニット１５は、ヒートシンク１６と、ヒートシンク１６の下面に配置されたＬＥＤ基板１７と、を有している。ヒートシンク１６は、矩形状の放熱板１６ａと、放熱板１６ａから立設された複数の放熱フィン１６ｂと、を有している。放熱板１６ａは、支柱枠組１３と略同一の平面形状で構成され、上面の外周縁に上方に向かって立ち上がる外周壁１６ｃが設けられている。ＬＥＤ基板１７は、一例として６個のＬＥＤ１７ａを配列した構成である。ＬＥＤ１７ａは、放熱フィン１６ｂの直下に配置されている。
【００１９】
カバー部材１８は、支柱枠組１３にネジ接合等で固定され、光源ユニット１５の底面を覆っている。カバー部材１８は、例えば合成樹脂製である。
【００２０】
次に、実施の形態１に係る機能部品２の構成を、図１〜図４を参照しつつ図５〜図７に基づいて説明する。図５は、本発明の実施の形態１に係る機能部品の分解斜視図である。図６は、本発明の実施の形態１に係る機能部品であって、照明器具に取り付けた状態の縦断面図である。図７は、本発明の実施の形態１に係る機能部品の第二固定部材を示した斜視図である。図５に示した機能部品２は、一例として人感センサである。人感センサとは、人間の有無及び所在を検知するためのセンサである。人感センサから成る機能部品２は、図１〜図３に示すように、外郭を形成するケース部材３と、ケース部材３に設けられた第一固定部材４と、照明器具１に取り付けられる第二固定部材５と、を備えている。
【００２１】
ケース部材３は、図５に示すように、下面に開口を有するケーストップ部３０と、ケーストップ部３０の開口を覆うケースボトム部３１と、で構成されている。ケース部材３は、ケーストップ部３０とケースボトム部３１とを組み合わせて箱状に形成される。ケース部材３は、一例としてケーストップ部３０に設けた爪部を、ケースボトム部３１に設けた係止孔に掛け留めることにより組み合わされる。ケース部材３の内部には、センサ基板３２とセンサ部材３３とが収納されている。
【００２２】
ケーストップ部３０は、中間支柱部材１３ｂに当接させる当接面部３０ａと、当接面部３０ａの上端縁から下面に向かって湾曲する湾曲面３０ｂと、を有している。湾曲面３０ｂは、ケース部材３の背面側を形成するものであり、不要な部分を省略して小型化するための形状である。但し、ケーストップ部３０は、略長方形状とした構成でもよいし、湾曲面３０ｂを傾斜面としてもよい。
【００２３】
ケーストップ部３０は、上面に電線１９（ハーネス）を通すための電線孔３０ｃが形成されている。電線１９は、一端がケース部材３の内部に配置したセンサ基板３２に接続され、他端が照明器具１の電源ユニット１１に接続されている。電線１９の一端は、図６に示すように、ケーストップ部３０の内部において、インシュロック１９ｂで張力止めされて固定されている。一方、電線１９の他端は、図３に示すように、クリップ１９ｃで張力止めされて電源ユニット１１を構成する金属製筐体の上面に固定される。図１〜図３に示すように、電線１９と電源ユニット１１とを接続した箇所は、コネクターカバー１９ａによって覆われて保護されている。コネクターカバー１９ａは、電源ユニット１１の上面にネジ部材等の接合部材でしっかりと固定されている。なお、電線１９は、アーム１０の可動範囲を妨げないような長さとする。
【００２４】
ケーストップ部３０には、図６に示すように、内面に上下方向に延びるリブ３０ｄが４つ設けられている。リブ３０ｄは、ケース部材３を補強する目的のほか、センサ基板３２の上面側に当接して、該センサ基板３２を固定するために設けられている。
【００２５】
ケースボトム部３１は、上面に開口を有する凹形状で構成されている。ケースボトム部３１の底面には、内部に収容したセンサ部材３３の受光部３５を露出させるための開口部３１ａが４つ形成されている。また、ケースボトム部３１の凹内部の四隅には、センサ基板３２に形成された貫通孔３２ａに挿入されて、センサ基板３２の下面側を固定するための基板支持部３１ｂが３つ設けられている。
【００２６】
センサ基板３２は、板面がケース部材３の底面と対向するように、ケース部材３の内部に配置されている。センサ基板３２は、電線１９を接続するためのコネクタ３６と、センサ部材３３とが、ケース部材３の底面に位置するように実装されており、センサ部材３３からの信号を取得して処理するセンサ回路を有するものである。センサ基板３２は、ケーストップ部３０のリブ３０ｄとケースボトム部３１の基板支持部３１ｂとで固定されている。
【００２７】
センサ部材３３は、センサ基板３２に取り付けられるセンサースペーサ３４と、該センサースペーサ３４によって共通に支持された４つの受光部３５と、で構成されている。受光部３５は、センサースペーサ３４に支持された一方が、センサ基板３２に接続されている。また、受光部３５は、ケースボトム部３１に設けた開口部３１ａから一部が外部へ露出している。
【００２８】
第一固定部材４は、支持機構１４にスライドさせて組み付けられるものである。第一固定部材４は、照明器具１に取り付けらえるケース部材３の当接面部３０ａに間隔をあけて設けられた一対の係合部４０と、係合部４０の下端に設けられた接合部４１と、で構成されている。
【００２９】
係合部４０は、支持機構１４に向かって突き出し、突き出した端部を内方に屈曲させた形状を成し、ケーストップ部３０の当接面部３０ａの高さ方向に沿って縦長に形成されている。係合部４０は、支持機構１４の凸部１４ａを両側から挟み付けるようにスライドさせて組み付けられる。
【００３０】
接合部４１は、支持機構１４にスライドさせて組み付けられた第一固定部材４を第二固定部材５に接合するために設けられている。接合部４１は、貫通孔４１ａを有する平面部と、平面部の一端縁から下方に向かって屈曲した垂直面部とでＬ字状に構成されている。
【００３１】
第二固定部材５は、図３及び図６に示すように、ケース部材３を照明器具１に取り付ける際に、放熱板１６ａの外周壁１６ｃに取り付けられる。第二固定部材５は、図７に示すように、ケース部材３の当接面部３０ａが当接する垂直面部５０と、垂直面部５０の上端縁から照明器具１側に向かって屈曲した水平面部５１と、水平面部５１の両端に設けられ、放熱板１６ａに掛け留める２つのフック部５２と、を有している。また、第二固定部材５は、垂直面部５０の下端縁からケース部材３側に向かって突き出し、ケース部材３の底面に当接して、ケース部材３を目標の位置で保持する保持部５３を有している。なお、第二固定部材５は、保持部５３を設けることが望ましいが、保持部５３を設けない構成でもよい。
【００３２】
垂直面部５０は、図６に示すように、中間支柱部材１３ｂの下方に配置されて、中間支柱部材１３ｂと共にケース部材３の当接面部３０ａが当接される。水平面部５１は、図６に示すように、中間支柱部材１３ｂの下端を内方に屈曲させた屈曲面に当接される。
【００３３】
フック部５２は、ケース部材３の横幅寸法と略同程度の間隔をあけて設けられている。左右のフック部５２の間にケース部材３をスライドさせて嵌め込むためである。フック部５２は、中間支柱部材１３ｂを挟んで左右両側に位置するように、放熱板１６ａの外周壁１６ｃに取り付けられる。各フック部５２には、第一固定部材４の接合部４１と接合するために、ネジ等の締結部材６の貫通孔５２ａが形成されている。
【００３４】
保持部５３は、センサ基板３２に実装されたコネクタ３６と対向するように設けられている。上記したように、センサ基板３２には、ケースボトム部３１の底面に設けた開口部３１ａから受光部３５が外部へ露出するセンサ部材３３を有している。そのため、保持部５３は、受光部３５を避けた位置に設ける必要がある。ここで、ケース部材３の内部では、保持部５３と対向する位置に空間が生じる。ケース部材３は、当該空間にコネクタ３６を配置することで内部を有効活用することができ、ひいてはケース部材３を小型化して軽量化することに繋がる。
【００３５】
次に、機能部品２を照明器具１に取り付けるための手順を、図８〜図１１に基づいて説明する。図８〜図１０は、本発明の実施の形態１に係る機能部品を照明器具に取り付ける要領を示した説明図である。図１１は、本発明の実施の形態１に係る機能部品を照明器具に取り付けた状態を示した斜視図である。
【００３６】
先ず、機能部品２は、図８に示すように、第二固定部材５を照明器具１の放熱板１６ａに取り付ける。第二固定部材５は、２つのフック部５２を放熱板１６ａの外周壁１６ｃに掛け留めて取り付けられる。フック部５２を放熱板１６ａの外周壁１６ｃに掛け留める作業は、図９に示すように、第二固定部材５を斜めに傾けつつ、フック部５２を放熱板１６ａの内側に差し込んだ後、傾けた状態の第二固定部材５を、図６に示す元の状態に戻すことで行われる。
【００３７】
次に、図１０に示すように、ケース部材３の当接面部３０ａを中間支柱部材１３ｂに当てがい、第一固定部材４の係合部４０を支持機構１４の凹部１４ｂに差し込み、第一固定部材４を下方にスライドさせて係合部４０を凸部１４ａに組み合わせる。第一固定部材４は、ケース部材３の底面が第二固定部材５の保持部５３に突き当たるまで下方にスライドさせる。
【００３８】
そして、図１１に示すように、フック部５２の貫通孔５２ａと、第一固定部材４の接合部４１の貫通孔４１ａとに、締結部材６を共通に挿入して締結する。締結部材６は、ねじ孔とした貫通孔４１ａ及び５２ａにねじ部材をねじ込む構成でもよいし、ボルトとナットによって締結してもよい。以上により、機能部品２が照明器具１に取り付けられて照明装置１００が完成する。
【００３９】
なお、図２に示すように、機能部品２は、ケースボトム部３１から露出した受光部３５が、カバー部材１８の底面よりも上方となるように照明器具１に取り付けられる。照明装置１００を仮置きした際に、受光部３５が仮置きした場所と接触して損傷することを防止するためである。
【００４０】
上述したように、実施の形態１係る機能部品２では、内部にセンサ基板３２を収納したケース部材３と、ケース部材３に設けられ、支持機構１４にスライドさせて組み付けられる第一固定部材４と、照明器具１に取り付けられ、支持機構１４にスライドさせて組み付けられた第一固定部材４と接合されて、第一固定部材４のスライド方向の移動を規制する第二固定部材５と、備えている。よって、機能部品２は、照明器具１に設けられた支持機構１４に第一固定部材４をスライドさせて組み付け、照明器具１に取り付けられた第二固定部材５に第一固定部材４を接合する構成なので、照明器具１に締結部材を通すための挿入孔を形成することなく取り付けることができ、支柱枠組１３の強度を維持することができる。
【００４１】
また、第二固定部材５は、第一固定部材４をスライドさせたケース部材３の底面に当接して、ケース部材３を目標の位置で保持する保持部５３を有している。したがって、機能部品２は、照明器具１に取り付けた際に、ケース部材３を安定させて保持することができる。また、機能部品２は、保持部５３がケースボトム部３１の底面で当接することで、ケース部材３の落下を防ぐとともに、ケーストップ部３０からケースボトム部３１が外れたとしても、保持部５３が保持して落下を防止できる。
【００４２】
また、センサ基板３２には、センサ部材３３とコネクタ３６とが保持部５３で保持されるケース部材３の底面に位置するように実装されている。そして、センサ部材３３は、ケース部材３の底面から一部（受光部３５）が露出するように設けられている。保持部５３は、露出したセンサ部材３３を避けて、コネクタ３６と対向するように設けられている。したがって、機能部品２は、保持部５３が露出したセンサ部材３３を避けることによって生じた空間にコネクタ３６を配置した構成なので、当該空間を有効活用することができ、ケース部材３を小型化して軽量化することができる。
【００４３】
実施の形態２．
次に、実施の形態２に係る機能部品を図１２に基づいて説明する。図１２は、本発明の実施の形態２に係る機能部品の分解斜視図である。なお、実施の形態１で説明した機能部品と同一の構成については、同一の符号を付して、その説明を適宜省略する。
【００４４】
実施の形態２に係る機能部品２は、ケース部材３と第一固定部材７とを別部材で構成したことを特徴としている。第一固定部材７は、ケーストップ部３０の当接面部３０ａに取り付けられる。第一固定部材７は、中間支柱部材１３ｂに当接させる平板部７０と、平板部７０の左右の両端縁に沿って設けられた一対の係合部７１と、係合部７１の下端に設けられた接合部７２と、で構成されている。
【００４５】
平板部７０には、ケース部材３に向かって窪ませた第一凹部７０ａが形成されている。第一凹部７０ａには、ネジ部材８の軸部を通すためのネジ孔８０が高さ方向に２つ形成されている。また、第一凹部７０ａには、上下のネジ孔８０の中間に、貫通孔８１が形成されている。一方、ケーストップ部３０の当接面部３０ａには、第一凹部７０ａが嵌め込まれる第二凹部７０ｂが形成されている。第二凹部７０ｂには、ネジ孔８０と共通する位置に、ネジ孔８２が形成されている。また、第二凹部７０ｂには、貫通孔８１と共通する位置に突起部８３が形成されている。第一固定部材７は、第一凹部７０ａが第二凹部７０ｂに嵌るように、平板部７０をケーストップ部３０の当接面部３０ａに当てがい、貫通孔８１に突起部８３を嵌め込んで位置決めした後、ネジ孔８０及び８２にネジ部材８を共通に通してネジ込むことで、ケーストップ部３０に取り付けられる。
【００４６】
係合部７１は、支持機構１４に向かって突き出し、突き出した端部を内方に屈曲させた形状を成し、平板部７０の高さ方向に沿って縦長に形成されている。係合部７１は、支持機構１４の凸部１４ａを両側から挟み付けるようにスライドさせて組み付けられる。
【００４７】
接合部７２は、支持機構１４にスライドさせて組み付けられた第一固定部材７を第二固定部材５に接合するために設けられている。接合部７２は、ネジ部材等の締結部材を通すための貫通孔７２ａを有する平面部と、平面部の一端縁から上方に向かって屈曲した垂直面部とでＬ字状に構成されている。
【００４８】
上記したように、実施の形態２に係る機能部品は、ケース部材３と第一固定部材７とを別部材で構成したので、構造の異なる支持機構１４であっても、適合する第一固定部材７に取り替えて使用することができ、ケース部材３の形状を変更する必要がないため、使い勝手に優れている。また、例えば第一固定部材７が破損等した場合であっても、新しい第一固定部材７と交換すればよいので、維持管理が容易であり、経済的となる。
【００４９】
以上に本発明を実施の形態に基づいて説明したが、本発明は上述した実施の形態の構成に限定されるものではない。例えば、機能部品２は、一例として人感センサとした構成を示したが、これに限定されない。機能部品２は、例えば照度センサ、非常灯ユニット又は無線ユニット等でもよい。また、支持機構１４の上記構成は一例であって、第一固定部材４をスライドさせて組み付けることができれば、他の構成でもよい。また、詳細に図示することは省略したが、機能部品２は、照明器具１との間に高さを変化させる機構或いは左右方向に回転させることができる機構を付加して、センサの検知範囲を可変できる構成としてもよい。要するに、いわゆる当業者が必要に応じてなす種々なる変更、応用、利用の範囲をも本発明の要旨（技術的範囲）に含むことを念のため申し添える。
【符号の説明】
【００５０】
１  照明器具、２  機能部品、３  ケース部材、４  第一固定部材、５  第二固定部材、６  締結部材、７  第一固定部材、８  ネジ部材、１０  アーム、１１  電源ユニット、１２  天板、１３  支柱枠組、１３ａ  主支柱部材、１３ｂ  中間支柱部材、１３ｃ  ガード部材、１４  支持機構、１４ａ  凸部、１４ｂ  凹部、１５  光源ユニット、１６  ヒートシンク、１６ａ  放熱板、１６ｂ  放熱フィン、１６ｃ  外周壁、１７  ＬＥＤ基板、１７ａ  ＬＥＤ、１８  カバー部材、１９  電線、１９ａ  コネクターカバー、１９ｂ  インシュロック、１９ｃ  クリップ、３０  ケーストップ部、３０ａ  当接面部、３０ｂ  湾曲面、３０ｃ  電線孔、３０ｄ  リブ、３１  ケースボトム部、３１ａ  開口部、３１ｂ  基板支持部、３２  センサ基板、３２ａ  貫通孔、３３  センサ部材、３４  センサースペーサ、３５  受光部、３６  コネクタ、４０  係合部、４１  接合部、４１ａ  貫通孔、５０  垂直面部、５１  水平面部、５２  フック部、５２ａ  貫通孔、５３  保持部、７０  平板部、７０ａ  第一凹部、７０ｂ  第二凹部、７１  係合部、７２  接合部、７２ａ  貫通孔、８０  ネジ孔、８１  貫通孔、８２  ネジ孔、８３  突起部、１００  照明装置。
【図１】
2019061930.tif 000003
【図２】
2019061930.tif 000004
【図３】
2019061930.tif 000005
【図４】
2019061930.tif 000006
【図５】
2019061930.tif 000007
【図６】
2019061930.tif 000008
【図７】
2019061930.tif 000009
【図８】
2019061930.tif 000010
【図９】
2019061930.tif 000011
【図１０】
2019061930.tif 000012
【図１１】
2019061930.tif 000013
【図１２】
2019061930.tif 000014